(57)【要約】【課題】画像形成装置に設けられた駆動ギア部材と現像剤補給容器の排出口を開閉するシャッターに設けられたギア部とが係合し駆動力が伝達されることでシャッターを開閉する構成において、開閉時に駆動ギア部材とギア部が歯飛びしてしまうことがあった。【解決手段】シャッターにリブを設けることでシャッター開閉時に駆動ギア部材とギア部が歯飛びしてしまうのを防止した。【選択図】      図４
2004333608.tif 000002
【特許請求の範囲】
【請求項１】
画像形成装置に着脱可能な現像剤補給容器であって、
現像剤を収容する容器本体と、
前記容器本体内の現像剤を排出する排出口と、
前記排出口を開閉するシャッターと、
前記容器本体の前記排出口の周囲に設けられ前記シャッターとの間で圧縮されることでシールする弾性部材と、
前記シャッターに設けられ前記画像形成装置のギア部材と係合して前記シャッターを開閉するための駆動力を受けるギア部と、
前記容器本体又は前記シャッターのいずれかの一部に設けられ、開閉時に前記ギア部が前記ギア部材と外れてしまうのを防止する凸部と、
を有することを特徴とする現像剤補給容器。
【請求項２】
前記凸部を前記シャッターの前記ギア部の裏側に相当する位置に前記ギア部の配設方向に沿って設けたことを特徴とする請求項１の現像剤補給容器。
【発明の詳細な説明】
【０００１】
【発明の属する技術分野】
本発明は、電子写真方式を用いて画像を形成する、例えば、電子写真複写機、電子写真プリンタ（例えばレーザービームプリンタ、ＬＥＤプリンタ等）、ファクシミリ装置、ワードプロセッサー等に着脱可能に設けられ現像剤を補給する現像剤補給容器に関する。
【０００２】
【従来の技術】
電子写真複写機や、レーザービームプリンター等の電子写真画像形成装置は、一様に帯電させた感光体ドラムに選択的な露光を行う。そして静電潜像を形成する。そして、その静電潜像をトナーで現像してトナー像を形成する。その後該トナー像を記録媒体に転写して画像記録を行なう。このような装置にあっては、トナーがなくなる都度トナーを供給しなければならない。ここで画像形成装置にトナーを供給するためのトナー供給容器は、収納したトナーを画像形成装置本体のトナー受け入れ容器に一度に全量補給する、所謂供給型容器と、画像形成装置本体に容器を装着後、そのまま該容器を据え置く、所謂据え置き型容器とに大別される。ここで据え置き型容器はトナーを使い切るまで徐々に現像装置にトナーを供給する。
【０００３】
近年、画像形成装置のコンパクト化を図るため、トナー供給容器は据え置き型が使用される傾向にある。さらに、トナー供給容器を交換する際に、容器内に残留するトナーが排出開口から飛散するのを防止するため、該排出開口を封止するための開閉部材と排出開口周辺の容器外壁には弾性を有するシール部材を設けている。
【０００４】
例えば上記構成においては現像剤補給容器の排出開口を封止するためにフェルト等の弾性部材を排出開口周辺に設けた機構が知られている。（特許文献１参照）
また、現像剤補給容器の排出開口を封止する開閉部材を開閉する手段として、ハンドルの駆動を本体側駆動伝達部材を介し前記開閉部材へと伝達し、前記開閉部材を開閉する機構が知られている（特許文献２参照）
この機構においてはハンドル、本体側駆動伝達部材及び開閉部材にギアを設け、ハンドルの駆動を開閉部材に伝達し、前記開閉部材を開閉している。
【０００５】
【特許文献１】
特開平７−３０６５７８号公報（段落００２３）
【特許文献２】
特開平１１−１９４６００号公報（図３及び段落００８８）
【０００６】
【発明が解決しようとする課題】
しかしながら従来の構成の場合、本体側駆動伝達部材のギアから開閉部材のギアへ駆動が伝達され、前記開閉部材が開封方向へスライドしようとする際、開閉部材は駆動伝達部材のギアから開封方向の駆動力を受けるとともに、ギアの歯同士が離間する方向にも力が働く。前記開閉部材と容器外壁には弾性部材が設けられているため、前記開閉部材は前記弾性部材により持ち上げられた状態となっている。そのため、前記離間する方向の力が働くことによって、ギアとギアの歯のかみ合いは少なくなり、ギア同士の歯飛びが発生してしまったり、弾性部材を必要以上に圧縮してしまう可能性がある。
【０００７】
更に前記開閉部材が容器装着動作により本体側現像器の開閉部材と嵌合し、嵌合状態のまま開封状態へスライドしていく構成においては、前記離間の力により前記嵌合状態が不安定になり、接合部からの現像剤の漏れが懸念される。
【０００８】
また例えば前記開閉部材が弾性部材により、持ち上げられないようにするために、容器本体と開閉部材の接合部の寸法を開閉部材が上下に動けなくなるような寸法関係にすると、今度は開封するときの力の増加や、開閉部材の容器への組み付け性の悪化が懸念される。
【０００９】
【課題を解決するための手段】
本発明のよれば上記課題を解決することができる。本発明は、画像形成装置に着脱可能な現像剤補給容器であって、現像剤を収容する容器本体と、前記容器本体内の現像剤を排出する排出口と、前記排出口を開閉するシャッターと、
前記容器本体の前記排出口の周囲に設けられ前記シャッターとの間で圧縮されることでシールする弾性部材と、前記シャッターに設けられ前記画像形成装置のギア部材と係合して前記シャッターを開閉するための駆動力を受けるギア部と、前記容器本体又は前記シャッターのいずれかの一部に設けられ、開閉時に前記ギア部が前記ギア部材と外れてしまうのを防止する凸部と、を有することを特徴とする。
【００１０】
【発明の実施の形態】
以下、本発明の実施形態について図面を用いて説明する。最初に、本発明の実施形態に係る現像剤補給容器が装着される電子写真画像形成装置の構成について図１に基づいて説明する。図１は回動型現像装置を備えた多色画像形成装置（カラー複写機）の一例を示すものである。
【００１１】
図１に示す装置本体２００は最も特徴的である回動型現像装置たるロータリ現像器２０１を有する多色画像形成装置である。
【００１２】
装置本体２００には、原稿載置台２０６、光源２０７ａ、ＣＣＤユニット２０７ｂ、レーザースキャナユニット２０８、給送部２０９、画像形成部２０２等を備えている。給送部２０９は、転写材Ｓを収容して装置本体２００に着脱自在なカセット２１０、２１１及び手差しカセット２１２を有し、このカセット２１０、２１１及び手差しカセット２１２から転写材Ｓが供給される。
【００１３】
画像形成部２０２には、単独に構成された黒現像器２０３、円筒状の感光体ドラム２１３、一次帯電器２１４、着脱可能な現像剤補給容器（トナーカートリッジ）と一体となった複数の現像器２１５を内蔵したロータリ現像器２０１、現像後の画質を調整するポスト帯電器２１６、４色のトナー像を重ねて転写作像した後転写材へ多色画像を転写する無端円環状の転写ベルト２１７、感光体ドラム上の残トナーをクリーニングするドラムクリーナ２１８、転写ベルトから転写材へトナー画像を転写する二次転写ローラ２１９、転写ベルト上の残トナーをクリーニングするベルトクリーナ２２０等がそれぞれ配設されている。
【００１４】
画像形成部２０２の上流側には転写材の姿勢位置精度を高め、転写ベルト２１７上のトナー像に合わせて転写材をタイミングよく送り出すレジストローラ２２１が配設されている。画像形成部２０２の下流側にはトナー像が転写された転写材Ｓを搬送する転写搬送装置２２２、転写材Ｓ上の未定着画像を定着する定着装置２０４、画像が定着された転写材Ｓを画像形成装置外に排出する排出ローラ２０５等が配設されている。
【００１５】
次に、画像形成装置の動作を説明する。
【００１６】
装置本体２００側に設けられている図示しない制御装置から給送信号が出力されると、カセット２１０、２１１または手差しカセット２１２から転写材Ｓが供給される。一方、光源２０７ａから原稿載置台２０６に載置されている原稿Ｄに当てられて反射した光は、一旦ＣＣＤユニット２０７ｂにより読み取られた後、電気信号に変換されレーザースキャナユニット２０８からのレーザー光に置き換えれて感光体ドラム２１３上に照射される。感光体ドラム２１３は、あらかじめ一次帯電器２１４により帯電されており、光が照射されることにより静電潜像が形成され、次いで黒現像器２０３及びロータリ現像器２０１内に配された複数の現像器２１５により、選択された色のトナー像が形成される。
【００１７】
感光体ドラム２１３上に形成されたトナー像はポスト帯電器２１６によって電位が調整され、やがて転写位置で転写ベルト２１７上に転写される。転写されたトナー像はカラーモードの場合には次のトナー像が形成転写されるよう転写ベルト２１７を更に１回転する。この間もロータリ現像器２０１は次の指定カラーの現像器を感光体ドラム２１３に対向するよう矢印ａ方向に回転し、次の静電潜像を現像する準備をする。こうしてフルカラーモードでは所定画像数のトナー画像が転写され終わるまで、静電潜像形成・現像・転写を繰り返す。
【００１８】
ところで、給送部２０９から給送された転写材Ｓはレジストローラ２２１で斜行が補正され、さらにタイミングが合わされて画像形成部２０２へ送られる。そして、二次転写ローラ２１９によりトナー像が転写され、分離された転写材Ｓは、転写搬送装置２２２により定着装置２０４に搬送されて、定着装置２０４の熱と圧力により転写材Ｓに未定着転写画像が永久定着される。画像が定着された転写材Ｓは排出ローラ２０５により装置本体２００外へ排出される。
【００１９】
このようにして、給送部２０９から給送された転写材Ｓは画像が形成されて排出される。
【００２０】
尚、現像器２１５は、イエロー（Ｙ）現像器２１５ａ、マゼンダ（Ｍ）現像器２１５ｂ、シアン（Ｃ）現像器２１５ｃを配し、この順に現像を行うように構成されている。また、このロータリ現像器２０１の回動方向は、本実施形態の場合、装置本体２００正面から見て反時計回り方向としたが、これは現像器２１５と感光体ドラム２１３との現像条件などより決定される方向であり、回転方向が限定されるものではないことは明らかである。
【００２１】
また、後述する着脱可能な現像剤補給容器１（図２参照）は、各現像器２１５ａ、２１５ｂ、２１５ｃに自転不可に装着され、現像器２１５と一体となってロータリ現像器２０１内部に収容され、画像形成動作中には該ロータリ現像器２０１の回転に伴い回転し、現像剤補給容器内トナー残量がなくなった場合などには、稼働停止中に容易に交換できる構成である。
【００２２】
（実施形態１の現像剤補給容器）
図２において、１は中空で筒形状をなす実施形態１の現像剤補給容器である。本実施形態に係る現像剤補給容器１は、容器本体２、シャッター３、パッキン材４、ノブ５から構成される。
【００２３】
（容器本体）
容器本体２の構成を図３を用いて説明する。図３（Ａ）は容器本体２を表から見た斜視図（Ｂ）は容器本体２を裏から見た内部斜視図である。
【００２４】
容器本体２には、現像剤排出開口２ａ、シャッターガイド２ｂ、ノブガイド２ｃ、および容器本体内部には搬送突起２ｄが設けてある。
【００２５】
容器本体２の断面形状は、回転型現像装置内の限られたスペースを有効に利用し、極力多量な現像剤を収納するための形状であるならば、どんな形状でも構わない。本実施形態では、容器本体２の形状は短手方向の断面形状が円形以外の異形形状の筒状であり、具体的には図に示すような略三角柱のような形状をしている。また本実施形態では、回転型現像装置に搭載する現像剤補給容器１は、全長が画像領域に略等しい筒状であり、その長手方向の長さは約３８０ｍｍである。
【００２６】
このように容器本体２の短手方向の断面形状が円形以外の異形形状とすることにより、該容器１を装脱着する回転型現像装置内の限られたスペースを有効に利用することができ、その結果、同一形状の回転型現像装置内のスペースにおいて、現像剤補給容器の現像剤充填量を増やすことができる。
【００２７】
（シャッター）
シャッター３の構成を図４を用いて説明する。図４（Ａ）はシャッター３を表側からみた斜視図、（Ｂ）は裏側から見た斜視図である。
【００２８】
シャッター３は容器本体２の外周面に沿った平板状をなし両端縁には断面コの字型のガイド部３ａを有する。また、側端部にはシャッター開閉のための駆動を受けるギア部としての駆動受けギア３ｂを有し、その略裏側には駆動受けギア３ｂの配設方向に沿ってリブ３ｃを有する。シャッター３は容器本体２の排出開口２ａの近傍に設けられた周方向に平行な二つのシャッターガイド２ｂと係合して、容器本体２の短手方向に往復自在に取り付けられる。
【００２９】
（パッキン材）
シャッター３と容器本体２の間には弾性部材としてのパッキン材４が設置されていて、パッキン材４がシャッター３と容器本体間で圧縮されることにより排出開口２ａを密閉している。なおパッキン部材は自然状態で３ｍｍのものを２ｍｍに圧縮している。そのため、図５に示したようにシャッター３はパッキン材４により押し上げられた状態となっている。
【００３０】
パッキン材４は容器本体２の排出開口２ａを囲むように配設され、圧縮することで、排出開口２ａを密閉するもので、従来公知の種々の発泡体や弾性体を適宜使用できる。本実施形態では発泡ポリウレタンを用いた。
【００３１】
（ノブ）
ノブ５の構成を図６を用いて説明する。図６（Ａ）はノブを表側から見た斜視図、（Ｂ）は裏側から見た斜視図である。
【００３２】
ノブ５は把手部５ａと二重円筒部５ｂと駆動ギア５ｃとロック部５ｄから成り、駆動ギア５ｃは外側の円筒部外周面に、二重円筒部５ｂには容器本体２の側端部に設けられたノブガイド２ｃと係合するための爪５ｅが設けられている。その爪を用い、容器本体２の手前側端部に周方向に往復自在に取り付けられる。
【００３３】
（画像形成装置への装着）
次に現像剤補給容器１が現像器に装着され、使用されている状況を図７〜図９を用いて説明する。
【００３４】
まず始めに、ノブ５を手前にして現像剤補給容器１を画像形成装置本体の現像装置へ挿入していく。この装着動作を行なっている途中の状態が図７であり、装着完了の状態が図８である。図７、図８において、６は本体側駆動伝達ギア、７は本体側駆動中継ギア、８は本体側現像器シャッターである。図７においてはノブ５のギア５ｃとシャッター３のギア３ｂはギアがそれぞれ離れている。
【００３５】
その後、装着が完了し図８の状態になると、ノブギア５ｃとシャッターギア３ｂは本体側駆動伝達ギア６とギア部材としての本体側駆動中継ギア７により連結される。また、同時に本体側の現像器シャッター８とシャッター３が嵌合状態となる。
【００３６】
次に、図９に示したように、容器本体の手前側端部に設けられたノブ５の把手５ａを持って矢印方向に所定角度回転させると、ノブ５に設けられたギア５ｃにより、本体側駆動伝達ギア６と本体側駆動中継ギア７を介しシャッター３のギア３ｂへ回転力が伝わり、シャッター３及び現像器シャッター８がスライドし、容器本体２の開口部２ａが開封される。
【００３７】
このシャッター開封状況について図１０〜図１２を用いて更に詳細に説明する。
【００３８】
シャッター３は補給容器１が装着されることで、現像器側シャッター８に嵌合する。この状況を図１０（Ａ）及び（Ｂ）に示す。図１０（Ａ）は装着途中、（Ｂ）は装着完了時の状態を示している。なお、図１０（Ｃ）は図１０（Ｂ）を下方から見た図である。
【００３９】
現像器シャッターには凹部が設けてあり、その凹部にシャッター３が嵌まり込むように嵌合する。また、現像器シャッター８には現像器シャッター開口８ａが設けてある。
【００４０】
シャッター３及び現像器シャッター８がスライドする状況を図１１及び図１２を用いて説明する。操作者によりノブ５が回動されると、その回転駆動力はノブギア５ｃから本体側駆動伝達ギア６と本体側駆動中継ギア７を介してシャッター３のギア３ｂに伝達され、シャッター３は開封方向に力が加わる。シャッター３が図１１の矢印方向にスライドすると、シャッター３に嵌合している現像器シャッター８はシャッター３とともにスライドし始め、現像器シャッターの開口８ａと容器本体の開口２ａが連通し、シャッターが開封されるのである。図１１は開封前の状態、図１２はシャッターが開封された後の状態を示している。
【００４１】
次にシャッター３が駆動力を受ける状況を図１３を用いて説明する。ノブは操作者により（Ｖ）方向に回転されると、本体側駆動伝達ギア６は（Ｗ）方向に回転し、それを受ける本体側駆動中継ギア７は（Ｘ）方向に回転し、それを受けたシャッター３は（Ｙ）方向へスライドする。このとき、シャッター３は本体側駆動中継ギア７より（Ｙ）方向の駆動力を受けるとともに、（Ｚ）方向の力を受ける。
【００４２】
図１４にシャッター３、パッキン材４及び容器本体２の断面図を示す。シャッター３は前述したように（Ｚ）方向の力を受けるが、シャッター３はリブ３ｃにより、シャッターの下方向の移動が抑えられ、その結果、本体側駆動中継ギア７との軸間距離を一定に保つことができ、その結果、ギアの歯飛びを防止できる。また、前記リブ３ｃにより、パッキン材４の必要以上の圧縮をも防止でき、その結果、シャッター３のスライド力の不意な増大を抑制できる。
【００４３】
前記現像剤補給容器１は、前述した手段により回転型現像装置に自転不可に装着され、回転型現像装置の回転を利用して公転運動することで、容器本体内部に設けられた搬送突起２ｄにより、開口部２ａ側に搬送・排出される。
【００４４】
（動作状況）
本実施形態に示す現像剤補強容器１を回転型現像装置（ロータリ現像器）２０１内で動作させたときの状況について図１５を用いて説明する。
【００４５】
図１５を参照して回転型現像装置２０１の構成と動作を説明する。図１５に示した回転型現像装置の内部は３つに区画され、それぞれＹ、Ｍ、Ｃの３色の現像器２１５と、それぞれに対応した略三角形の現像剤補給容器１とを収容している。
【００４６】
この回転型現像装置は図面上、反時計回りに１２０度ずつ回転し、感光体ドラムに対向する現像器２１５を交換するようになっている。本実施形態では１０ａの位置で感光体ドラムと対向するが、この位置を現像ステーションと呼ぶ。現像器２１５の現像剤搬送部材９ａや現像スリーブ９ｂは、現像ステーション１０ａの位置にあるときのみ、画像形成装置本体と駆動伝達されて回転するようになっている。そして現像ステーション１０ａ以外の位置１０ｂ、１０ｃにある現像器９は作動しない。
【００４７】
現像剤収納容器の着脱は、これら３つの位置のうちのいずれかで行ってもよいが、現像ステーション７ａ以外の位置が好ましく、特に現像剤排出開口２ａが上向きとなる１０ｃの位置で行うのが最も好ましい。本実施形態では１０ｃの位置で着脱を行った。
【００４８】
なお、本回転型現像装置はＡ４で２枚またはＡ３で１枚の画像形成がなされると１２０度ずつ回転して現像器を回転して現像器を交換する。その交換のための移動時間は約０．３秒、画像形成のための停止時間は約１．２秒、移動時の周速は約０．７ｍ／秒、回転型現像装置の直径はφ１４５ｍｍである。
【００４９】
比較例としてシャッター３にリブ３ｃがない場合を図１６及び図１７を用いて説明する。
【００５０】
図１６に示した図は本体側駆動中継ギア７から（Ｚ）方向の力を受けてシャッター３が（Ｚ）方向に下がった状態を示している。この場合、本体側駆動中継ギア７とシャッター３のギアとの軸間距離が離れてしまうため、リブ３ｃを設けているシャッター３に比べ、ギアの歯飛びの可能性が高くなる。また、パッキン材４を必要以上の圧縮してしまうため、シャッターの開封強度の上昇も懸念される。
【００５１】
表１にリブ３ｃがある場合とない場合の開封強度のトルク値と歯飛びの発生率を示した表を示す。トルクはリブ３ｃが有ることで安定化し、歯飛びはリブ無しでは容器３０本中２本の発生率で発生していたものが容器３０本行なって全く歯飛びしない構成にできた。
【００５２】
なお、この実験はパッキン材４としてイノアック社のポロンＬＥ−２０（厚み３ｍｍ）を用いて行なった。
【００５３】
図１７に示した図は本体側駆動中継ギア７から（Ｚ）方向の力を受けてシャッター３が斜めに傾いてしまった状態を示している。この場合、ギアの歯飛びの懸念に加え、現像器シャッター８との嵌合状態も悪化してしまい、嵌合部からの現像剤の漏れの発生が懸念される。
【００５４】
【表１】
2004333608.tif 000003
【００５５】
（シャッターリブ３ｃの効果）
シャッターリブ３ｃはシャッター３がパッキン材４により持ち上げられているために、その隙間を埋めるための役割を果たす。
【００５６】
そもそもシャッター３のシャッターガイド部３ａと容器本体のシャッターガイド２ｂの寸法関係を追い込めば、シャッター３がパッキン材４により持ち上げられないために、リブ３ｃの効果は少ないが、前記寸法関係にすると、シャッター３の開封強度の上昇と、シャッター３を容器本体２に組み込む際の組み立て性の悪化が懸念される。そのため、シャッター３のシャッターガイド部３ａと容器本体のシャッターガイド２ｂにはある程度のクリアランスは必要であり、そのクリアランスを埋める突起又はリブを部分的に設けることで、上記問題が解決できる。更に、リブ３ｃにより開閉時において現像器シャッターと容器シャッターの嵌合状態を安定にすることができ、その結果、現像器シャッターと容器シャッターの嵌合部からの現像剤漏れを抑制できる。
【００５７】
なお本実施例においてリブ３ｃはシャッター３のギア３ｂが設けてある反対側の面に設けたが、構成上、特にギア３ｂの反対側でなくても良い。但し、ギア３ｂが設けてある領域の反対側に設けたほうがより好適である。なぜなら、ギア３ｂが設けてある領域以外の場所に前記リブ３ｃを設けると、前記リブ３ｃを支点として、シャッターが傾いてしまう可能性がでてくるからである。
【００５８】
また、本実施例においてはシャッター３にリブ３ｃを設けたが、容器本体２のリブ３ｃに対応する部分に設けても良い。但し、シャッターギア３ｂの裏側に前記リブ３ｃを設ける場合、同じ部材、即ち、容器シャッターに対し双方の部材、即ち、ギア３ｂとリブ３ｃを設ける方が製造誤差の累積を少なくして寸法精度を高精度にすることが可能となるのでより好適である。
【００５９】
【発明の効果】
以上説明したように本発明によれば、シャッターの開封強度を上げずにギア部とギア部材との歯飛びしてしまうのを防止することができる。更に、弾性部材の必要以上の圧縮を抑制し、シャッターの開封強度の上昇を抑制できる。
【図面の簡単な説明】
【図１】回動型現像装置を備えた多色画像形成装置の構成図
【図２】現像剤補給容器１の斜視図
【図３】（Ａ）容器本体２を表側からみた斜視図、（Ｂ）裏側から見た内部斜視図
【図４】（Ａ）シャッター３を表側からみた斜視図、（Ｂ）裏側から見た斜視図
【図５】（Ａ）シャッター３とパッキン材４の容器本体長手方向断面図、（Ｂ）シャッター３とパッキン材４の容器本体短手方向断面図
【図６】（Ａ）ノブ５を表側から見た斜視図、（Ｂ）裏側から見た斜視図
【図７】現像剤補給容器１が現像器に装着される状況を示した斜視図（装着途中）
【図８】現像剤補給容器１が現像器に装着される状況を示した斜視図（装着完了）
【図９】現像剤補給容器１が現像器に装着される状況を示した斜視図（開封後）
【図１０】シャッター３と現像器側シャッター８の嵌合している状況を示した図で、（Ａ）装着途中の斜視図、（Ｂ）装着完了後の斜視図、（Ｃ）（Ｂ）の裏面斜視図
【図１１】シャッター３及び現像器シャッター８の開封前の状態を示した斜視図
【図１２】シャッター３及び現像器シャッター８の開封後の状態を示した斜視図
【図１３】シャッター３が駆動力を受ける状況を示した図
【図１４】シャッター３、パッキン材４及び容器本体２の長手方向断面図
【図１５】回転型現像装置２０１の断面図
【図１６】比較例  シャッター３、パッキン材４及び容器本体２の長手方向断面図
【図１７】比較例  シャッター３、パッキン材４及び容器本体２の長手方向断面図
【符号の説明】
Ｄ  原稿
Ｓ  転写材
１  現像剤補給容器
２  容器本体
２ａ  開口部
２ｂ  シャッターガイド
２ｃ  ノブガイド
２ｄ  搬送突起
３  シャッター
３ａ  ガイド部
３ｂ  駆動受けギア
３ｃ  リブ
４  パッキン材
５  ノブ
５ａ  把手部
５ｂ  二重円筒部
５ｃ  駆動ギア
５ｄ  ロック部
５ｅ  爪
６  本体側駆動伝達ギア
７  本体側駆動中継ギア
８  本体側現像器シャッター
８ａ  本体側現像器シャッター開口部
９  現像器
９ａ  現像剤搬送部材
９ｂ  現像スリーブ
１０ａ  現像ステーション
１０ｂ  他ステーション
１０ｃ  他ステーション
２００  装置本体
２０１  回転型現像装置
２０２  画像形成部
２０３  黒現像器
２０４  定着装置
２０５  排出ローラ
２０６  原稿載置台
２０７ａ  光源
２０７ｂ  ＣＣＤユニット
２０８  レーザースキャナユニット
２０９  給送部
２１０、２１１  カセット
２１２  手差しカセット
２１３  感光体ドラム
２１４  一次帯電器
２１５ａ〜ｃ  現像器
２１６  ポスト帯電器
２１７  転写ベルト
２１８  ドラムクリーナー
２１９  二次転写ローラ
２２０  ベルトクリーナー
２２１  レジストローラ
２２２  転写搬送装置
【図１】
2004333608.tif 000004
【図２】
2004333608.tif 000005
【図３】
2004333608.tif 000006
【図４】
2004333608.tif 000007
【図５】
2004333608.tif 000008
【図６】
2004333608.tif 000009
【図７】
2004333608.tif 000010
【図８】
2004333608.tif 000011
【図９】
2004333608.tif 000012
【図１０】
2004333608.tif 000013
【図１１】
2004333608.tif 000014
【図１２】
2004333608.tif 000015
【図１３】
2004333608.tif 000016
【図１４】
2004333608.tif 000017
【図１５】
2004333608.tif 000018
【図１６】
2004333608.tif 000019
【図１７】
2004333608.tif 000020